(57)【要約】【課題】  簡単に構成することができ、認証動作を容易に行うことができるキースイッチを提供する。【解決手段】  キースイッチにおいて、同一又は異なる形状の要素を間隔をとって任意の数並べて構成した固有の情報パターン７を備えた円柱形状のキー６と、光センサ９を備えたスイッチ本体１とからなり、前記スイッチ本体１に形成された挿入孔３に対して前記円柱形状のキー６を操作し、前記光センサ９で前記情報パターン７を検出し、認証動作を行う。【選択図】  図１
2011204562.tif 000002
【特許請求の範囲】
【請求項１】
同一又は異なる形状の要素を間隔をとって任意の数並べて構成した固有の情報パターンを備えたキーと、光センサを備えたスイッチ本体とからなり、前記スイッチ本体に形成された挿入孔に対して前記キーを操作することによって、前記光センサで前記情報パターンを検出し、認証動作を行うことを特徴とするキースイッチ。
【請求項２】
請求項１記載のキースイッチにおいて、前記情報パターンを前記キーの外周面に設けたことを特徴とするキースイッチ。
【請求項３】
請求項２記載のキースイッチにおいて、前記キーが円柱形状に形成されたことを特徴とするキースイッチ。
【請求項４】
請求項３記載のキースイッチにおいて、前記円柱形状のキーに保護カバーを設けることを特徴とするキースイッチ。
【請求項５】
請求項１記載のキースイッチにおいて、前記キーの内部に空洞部を設け、前記情報パターンを前記空洞部の内面に設けたことを特徴とするキースイッチ。
【請求項６】
請求項５記載のキースイッチにおいて、前記空洞部の開口部に蓋を設けたことを特徴とするキースイッチ。
【請求項７】
請求項１から６の何れか一項記載のキースイッチにおいて、前記キー及び前記スイッチ本体にクリック機構を設けることを特徴とするキースイッチ。
【請求項８】
請求項１から７の何れか一項記載のキースイッチにおいて、前記挿入孔に対して前記キーを挿入及び引き抜き操作することにより、前記情報パターンを検出することを特徴とするキースイッチ。
【請求項９】
請求項１から７の何れか一項記載のキースイッチにおいて、前記挿入孔に対する前記キーの回転操作を行うことにより、前記情報パターンを検出することを特徴とするキースイッチ。
【請求項１０】
請求項１から７の何れか一項記載のキースイッチにおいて、前記挿入孔に対する前記キーの挿入、回転及び引き抜きの複数の操作を組み合わせた複合操作を行うことにより、前記情報パターンを検出することを特徴とするキースイッチ。
【請求項１１】
請求項１から７の何れか一項記載のキースイッチにおいて、前記キー及び前記スイッチ本体にクリック機構を備えたことを特徴とするキースイッチ。
【請求項１２】
請求項１から７の何れか一項記載のキースイッチにおいて、前記スイッチ本体に形成された挿入孔に接触機構を設けることにより、キー挿入時にのみ前記光センサに通電させることを特徴とするキースイッチ。
【請求項１３】
請求項１から７の何れか一項記載のキースイッチにおいて、前記キースイッチ本体にキースイッチの状態確認用報知装置を設けることを特徴とするキースイッチ。
【発明の詳細な説明】
【技術分野】
【０００１】
本発明は、キーに記録された情報パターンを検出し、認証動作を行うことができるキースイッチに関するものである。
【背景技術】
【０００２】
従来、固有情報を含んだ固有コードを有するキー（鍵）に対して、キーの固有コードをコード読取装置によって読み取り、メモリに記憶された情報と読み取った固有コードの情報を比較して、一致している場合にシリンダー錠の作動を許容し、一致していない場合にはロック機構により規制し、シリンダー錠の作動を禁止する構成とした開閉体施錠装置（下記特許文献１参照）や、第１のコーディングが第１の励磁装置の第１のインダクタンスの変化を生じさせ、第１のコーディングがキースイッチによって読み取られるキースイッチ（下記特許文献２参照）が既に提案されている。
【先行技術文献】
【特許文献】
【０００３】
【特許文献１】特開２００４−０１９４３０号公報
【特許文献２】特開２００９−２７０４３０号公報
【発明の概要】
【発明が解決しようとする課題】
【０００４】
しかしながら、上記特許文献１記載の開閉体施錠装置は、固有コードの認証によりシリンダー錠の作動を許容または禁止するもので、キーの固有コードによって解錠を行うことができない。そのため、設置された各シリンダー錠に対して異なる形状を有するキーが必要となり、複数のキーを１つのシリンダー錠で共用化することはできない。
また、上記特許文献２記載のキースイッチは、キーの構成が煩雑であり、検出が高度である。
【０００５】
本発明は、上記状況に鑑みて、簡単に構成することができ、認証動作を容易に行うことができるキースイッチを提供することを目的とする。
【課題を解決するための手段】
【０００６】
本発明は、上記目的を達成するために、
〔１〕キースイッチにおいて、同一又は異なる形状の要素を間隔をとって任意の数並べて構成した固有の情報パターンを備えたキーと、光センサを備えたスイッチ本体とからなり、前記スイッチ本体に形成された挿入孔に対して前記キーを操作することによって、前記光センサで前記情報パターンを検出し、認証動作を行うことを特徴とする。
【０００７】
〔２〕上記〔１〕記載のキースイッチにおいて、前記情報パターンを前記キーの外周面に設けたことを特徴とする。
〔３〕上記〔２〕記載のキースイッチにおいて、前記キーが円柱形状に形成されたことを特徴とする。
〔４〕上記〔３〕記載のキースイッチにおいて、前記円柱形状のキーに保護カバーを設けることを特徴とする。
【０００８】
〔５〕上記〔１〕記載のキースイッチにおいて、前記キーの内部に空洞部を設け、前記情報パターンを前記空洞部の内面に設けたことを特徴とする。
〔６〕上記〔５〕記載のキースイッチにおいて、前記空洞部の開口部に蓋を設けたことを特徴とする。
〔７〕上記〔１〕から〔６〕記載のキースイッチにおいて、前記キー及び前記スイッチ本体にクリック機構を設けることを特徴とする。
【０００９】
〔８〕上記〔１〕から〔７〕の何れか一項記載のキースイッチにおいて、前記挿入孔に対して前記キーを挿入及び引き抜き操作することにより、前記情報パターンを検出することを特徴とする。
〔９〕上記〔１〕から〔７〕の何れか一項記載のキースイッチにおいて、前記挿入孔に対する前記キーの回転操作を行うことにより、前記情報パターンを検出することを特徴とする。
【００１０】
〔１０〕上記〔１〕から〔７〕の何れか一項記載のキースイッチにおいて、前記挿入孔に対する前記キーの挿入、回転及び引き抜きの複数の操作を組み合わせた複合操作を行うことにより、前記情報パターンを検出することを特徴とする。
〔１１〕上記〔１〕から〔７〕の何れか一項記載のキースイッチにおいて、前記キー及び前記スイッチ本体にクリック機構を備えたことを特徴とする。
【００１１】
〔１２〕上記〔１〕から〔７〕の何れか一項記載のキースイッチにおいて、前記スイッチ本体に形成された挿入孔に接触機構を設けることにより、キー挿入時にのみ前記光センサに通電させることを特徴とする。
〔１３〕上記〔１〕から〔７〕の何れか一項記載のキースイッチにおいて、前記キースイッチ本体にキースイッチの状態確認用報知装置を設けることを特徴とする。
【発明の効果】
【００１２】
本発明によれば、以下のような効果を奏することができます。
（１）構造が簡単で、検出が容易である。
（２）キー操作によって運動情報パターンを入力するため、スイッチ本体に予め記憶されている認証情報を変更することで、一種類のスイッチ本体で複数のキーの情報パターンを認証することができ、スイッチ本体およびキーの共用化が可能である。
【００１３】
（３）キーを円柱形状とすることにより、スイッチ本体に挿入する際、挿入方向（キーの向き）を気にすることなく容易に挿入することができる。
（４）情報パターンの検出をキーの複数の操作の組み合わせで行うことにより、セキュリティ性の向上を図ることができる。
（５）キーに保護カバーを設けることにより、情報パターンの漏洩を防止することができる。また、キーの摩耗による情報パターンの欠落や汚れを防止することができる。
【００１４】
（６）円筒形状のキーの空洞部の内面に情報パターンを設けることにより、情報パターンの漏洩を防止することができる。つまり、空洞部を覗き込まないと情報パターンを目視できない。また、キーの摩耗による情報パターンの欠落を防止することができる。
（７）円筒形状のキーの空洞部の開口部に蓋を設けることにより、空洞部内への塵埃の侵入や情報パターンの汚れを防止することができる。
【００１５】
（８）キー及びスイッチ本体にクリック感を得るクリック機構を設けることにより、キーの操作量（キーの回転角度や挿入や引抜き時の移動量）を明確にすることができる。
（９）スイッチ本体に形成された挿入孔に接点を有する接触機構を設けることにより、キー挿入時にのみ光センサに通電させることができるので、待機電力の削減を図ることができる。
【００１６】
（１０）キースイッチの状態確認用報知装置（ＬＥＤなど）を設けることにより、キースイッチのキーの操作により、認証されたかどうかを確認しやすい。
【図面の簡単な説明】
【００１７】
【図１】本発明の第１実施例を示すキースイッチの全体斜視図である。
【図２】本発明の第１実施例を示すキースイッチの縦方向断面図である。
【図３】本発明の第１実施例を示す光センサの動作を示す模式図である。
【図４】本発明の第１実施例を示す予め記憶された認証パターンを示す図である。
【図５】本発明のキースイッチの認証処理フローチャートである。
【図６】本発明の本発明の第２実施例を示すキースイッチの斜視図である。
【図７】本発明の本発明の第２実施例を示すキースイッチの縦方向断面図である。
【図８】本発明の第３実施例を示すキースイッチの一部破断斜視図である。
【図９】本発明の第４実施例を示すキースイッチのキーの斜視図である。
【図１０】本発明の第５実施例を示すキースイッチのキーの斜視図である。
【図１１】本発明の第６実施例を示す保護カバーを有するキースイッチのキーの斜視図である。
【図１２】本発明の第６実施例を示す保護カバーを有するキースイッチのキーの動作を示す断面図である。
【図１３】本発明の第７実施例を示す円筒形状のキーを示す斜視図である。
【図１４】本発明の第７実施例を示す円筒形状のキーを用いたキースイッチの縦方向断面図である。
【図１５】本発明の第８実施例を示す開口部に蓋を有するキースイッチのキーの斜視図である。
【図１６】本発明の第９実施例を示すクリック機構を有するキースイッチの斜視図である。
【図１７】本発明の第９実施例を示すクリック機構を有するキースイッチの縦方向断面図である。
【図１８】本発明の第９実施例の変形例を示すキースイッチのキーの斜視図である。
【図１９】本発明の第１０実施例を示すスイッチ本体の天面にキースイッチの操作確認用の表示装置を設けたキースイッチ本体の斜視図である。
【図２０】本発明の第１１実施例を示すスイッチ本体の挿入孔に接点を設けた接触機構を有するキースイッチの動作説明図である。
【発明を実施するための形態】
【００１８】
本発明のキースイッチは、同一又は異なる形状の要素を間隔をとって任意の数並べて構成した固有の情報パターンを備えたキーと、光センサを備えたスイッチ本体とからなり、前記スイッチ本体に形成された挿入孔に対して前記キーを操作することによって、前記光センサで前記情報パターンを検出し、認証動作を行う。
【実施例】
【００１９】
以下、本発明の実施の形態について詳細に説明する。
図１は本発明の第１実施例を示すキースイッチの全体斜視図、図２はそのキースイッチの縦方向断面図である。
これらの図において、１はスイッチ本体、２はスイッチハウジング、３は挿入孔、４はスイッチ本体１を固定部（図示なし）に取り付けるためのスイッチ取付用ナット、５は外部機器（図示なし）に接続される端子、６は挿入孔３へ挿入される同一又は異なる形状の要素を間隔をとって任意の数並べて構成した固有の情報パターン（ここでは、側面の軸方向に形成される情報パターンであるバーコード）７を備えたキー（ここでは、円柱形状のキー）、８はスイッチハウジング２に配置されるプリント基板、９はプリント基板８に実装される光センサである。  上記したように、スイッチ本体１は光センサ９を内蔵しており、光センサ９はスイッチ本体１に配置されているプリント基板８に実装されている。光センサ９はバーコード７を検出する。端子５はスイッチ本体１に一部が埋設されており、スイッチ本体の外部機器と接続を行う。スイッチ取付用ナット４はスイッチハウジング２の外周面に螺合され、固定部としてのパネル（図示なし）へ取り付けられてスイッチ本体１を固定する。
【００２０】
図３は本発明の第１実施例を示す光センサの動作を示す模式図、図４は予め記憶された認証パターンを示す図である。
これらの図を参照しながらこのキースイッチの光センサについて説明する。
ここでは、光センサ９は発光部としての光源９Ａと受光部としての受光素子９Ｂを備えており、まず、図３（ａ）に示すように、キー６が挿入されて、光源９Ａからの光が挿入されたキー６のバーコード７のバー部分７Ａに照射されると、光は吸収されて受光素子９Ｂは受光しない。次に、図３（ｂ）に示すように、キー６がさらに挿入されてバーコード７のバー部分７Ａが移動すると、光源９Ａからの光はバーコード７のスペース部分７Ｂで反射され、受光素子９Ｂで受光されて増幅部１０で増幅され、マイクロコンピュータ１１に取り込まれる。
【００２１】
マイクロコンピュータ１１は、アナログ入力ポートとしてのデジタル変換部１２と、このデジタル変換部１２に接続され、そのデジタル変換部１２からのデジタル信号のデコードを行い、そのデコード信号と解錠すべき認証コード信号との照会を行うコード処理部１３と、このコード処理部１３に接続され、解錠信号を出力するインターフェース部１４とを備えており、マイクロコンピュータ１１に取り込まれたキーの挿入時及び抜き取り時の運動情報パターンを検出することで入力された信号が、コード処理部１３でデコードされ、そのデコードされた信号と、図４に示すような予め記憶されている認証情報との照合が行われ、両者が一致する場合には、解錠信号１５が出力される。
【００２２】
図５は本発明のキースイッチの認証処理フローチャートである。
（１）まず、このキースイッチシステムの初期設定として、スイッチ本体１に検出された情報パターンによって入力された信号と照会を行うための認証情報を記憶させておく（ステップＳ１）。
（２）次に、円柱形状のキー９の挿入が検知されたか否かをチェックする（ステップＳ２）。円柱形状のキー９が検知されていなければ、その検知を待つ。
【００２３】
（３）円柱形状のキー９の挿入が検知された場合、円柱形状のキー９の操作から情報パターンの読み取りを行う（ステップＳ３）。
（４）上記ステップＳ３で読み取った円柱形状のキー９の情報パターンによって入力された信号をデコードする（ステップＳ４）。
（５）次に、デコードされた信号が上記ステップで予め記憶されている認証情報と一致するか否かをチェックする（ステップＳ５）。
【００２４】
（６）ステップＳ５において、デコード信号と認証情報が一致すれば、解錠信号１５を出力する（ステップＳ６）。一方、一致しなければ、解錠信号１５を出力せず、エンドとする。
より具体的な第１実施例に基づくと、
（１）まず、このキースイッチシステムの初期設定を行う。
【００２５】
（２）次に、キーのバーコードが検出されたか否かをチェックする。キーのバーコードが検出されていなければ、検出されるので待つ。
（３）次に、キーのバーコードの読み取りを行う。
（４）次に、キーのバーコードをデコードする。
（５）次に、デコードされたキーコードが予め記憶されている認証コード（解錠すべきコード）と一致するか否かを照会する。
【００２６】
（６）上記（５）において、ＹＥＳであれば、解錠信号を出力する。上記（５）において、ＮＯであれば、エンドとする。
図６は本発明の第２実施例を示すキースイッチの斜視図、図７はそのキースイッチの縦方向断面図である。
この実施例では、円柱形状のキー２１の側面に円周方向でバーコード２２を設けるようにしている。そこで、図示しないが、円柱形状のキー２１がスイッチハウジング２の挿入孔３に挿入されると、プリント基板２３に実装され、スイッチハウジング２の内面の円周方向に配置された光センサ２４によってバーコード２２が読み取られて、その光センサ２４からの情報によってバーコード２２の検出を行う。
【００２７】
更に、この実施例では、円柱形状のキー２１を回転させることにより、バーコード２２が回転し、光センサ２４によってバーコード２２が読み取られて認証を行ことができる。
図８は本発明の第３実施例を示すキースイッチの一部破断斜視図である。
この実施例では、円柱形状のキー３１の先端面３２にバーコード３３を設けるようにしている。そこで、円柱形状のキー３１がスイッチハウジング２の挿入孔３に挿入されると、スイッチハウジング２の挿入孔３の底面に配置されたプリント基板３４に実装された光センサ３５によってバーコード３３が読み取られて、その光センサ３５からの情報によってバーコード３３の認証を行う。
【００２８】
また、この実施例でも、円柱形状のキー３１を回転させることにより、先端面３２に形成されたバーコード３３が回転し、光センサ３５によってバーコード３３が読み取られて認証を行ことができる。
図９は本発明の第４実施例を示すキースイッチのキーの斜視図である。
この実施例では、円柱形状のキー４１はキー４１の側面に円周方向に形成される第１のバーコード４２と円柱形状のキー４１の側面に軸方向に形成される第２のバーコード４３とを備えている。
【００２９】
このように構成したので、円柱形状のキー４１のスイッチ本体の挿入孔への挿入時には第２のバーコード４３を、円柱形状のキー４１の回転時には第１のバーコード４２を読み取ることができる。
図１０は本発明の第５実施例を示すキースイッチのキーの斜視図である。
この実施例では、円柱形状のキー５１の円周方向の９０度毎に三角形状の反射部５２を形成するようにしている。
【００３０】
よって、円柱形状のキー５１を回転させると、三角形状の反射部５２の回転による光センサによる光の受光量が変化するので、この変化量を読み取ることにより、認証を行うようにすることができる。
図１１は本発明の第６実施例を示す保護カバーを有するキースイッチのキーの斜視図、図１２はその保護カバーを有するキースイッチのキーの動作を示す断面図である。
【００３１】
これらの図において、６１は円柱形状のキー、６２は円柱形状のキー６１の側面の軸方向に形成されるバーコード、６３は内部にコイルバネ６４を内蔵する保護カバーである。なお、保護カバー６３の外径はスイッチ本体の挿入孔の内径よりは大きくなるように構成しておき、保護カバー６３はスイッチ本体の挿入孔内には侵入できないように構成している。
【００３２】
この実施例によれば、円柱形状のキー６１を使用しない場合は、図１１（ａ）及び図１１（ａ）に示すように、バーコード６２は保護カバー６３で覆うように構成されている。一方、円柱形状のキー６１をスイッチ本体の挿入孔に挿入すると、挿入孔において、保護カバー６３は挿入が阻止されて、円柱形状のキー６１のみがスイッチハウジング内に挿入される。すると、バーコード６２は保護カバー６３から露出することになり、そのバーコード６２はスイッチハウジング内に実装される光センサによって読み取られ、認証を行うことができる。また、円柱形状のキー６１がスイッチ本体から引き抜かれると、コイルバネ６４の作用によって保護カバー６３が元の位置に戻って、バーコード６２は再び覆われる。
【００３３】
図１３は本発明の第７実施例を示す円筒形状のキーを示す斜視図であり、図１３（ａ）はその外観を示す斜視図、図１３（ｂ）はその一部破断斜視図、図１４はその円筒形状のキーを用いたキースイッチの縦方向断面図である。
これらの図において、７１は円筒形状のキー、７２は空洞部、７３は空洞部７２の開口部、７４は空洞部７２の内面の軸方向に形成されたバーコード、７５はスイッチハウジング２内に配置されたプリント基板、７６はプリント基板７５に接続される光センサである。
【００３４】
この実施例によれば、円筒形状のキー７１がスイッチ本体１の挿入孔３に挿入されると、バーコード７４は光センサ７６によって読み取られる。その円筒形状のキー７１を抜き取り時にも、同様にバーコード７４が読み取られて、認証を行うことができる。
よって、円筒形状のキーの空洞部の内面に情報パターンを設けるようにしたので、摩耗による情報パターンの欠落を防止することができる。
【００３５】
図１５は本発明の第８実施例を示す開口部に蓋を有するキースイッチのキーの斜視図であり、図１５（ａ）は蓋が閉じた状態を示すキースイッチのキーの外観を示す斜視図、図１５（ｂ）は蓋が閉じた状態を示すキースイッチのキーの一部破断側面図、図１５（ｃ）は蓋が開いた状態を示すキースイッチのキーの一部破断側面図である。
これらの図において、８１は円筒形状のキー、８２は円筒形状のキー８１の空洞部、８３は空洞部８２の内面に軸方向に形成されるバーコード、８４は空洞部８２の開口部、８５はその開口部８４に配置された割りが入った蓋である。
【００３６】
この実施例によれば、円筒形状のキー８１を使用しない場合は、図１５（ａ）及び図１５（ｂ）に示すように、割りが入った弾性部材（例えば、ゴム部材）からなる蓋８５は閉じられている。一方、空洞部８２の開口部８４に蓋８５を有する円筒形状のキー８１を、図１４に示すようなスイッチハウジング２に挿入すると、その開口部８４の蓋８５は光センサ７６によって図１５（ｃ）に示すように押し開かれる。そこで、バーコード８３は光センサ７６によって読み取られる。円筒形状のキー８１の抜き取り時にも、同様にバーコード８３が読み取られて、認証を行うことができる。
【００３７】
この実施例によれば、円筒形状のキーの空洞部の開口部に蓋を設けることにより、開口部からの塵埃の侵入を防ぎ、空洞部内のバーコードが汚れることを防止することができる。
図１６は本発明の第９実施例を示すクリック機構を有するキースイッチの斜視図、図１７はそのキースイッチの縦方向断面図である。
【００３８】
これらの図において、９１は円柱形状のキー、９２は円柱形状のキー９１の軸方向に形成されるバーコード、９３は円柱形状のキー９１の軸方向に配列される凹部、９５はスイッチハウジング２内に配置されるコイルバネ９４により外方向に押し出されるスチールボール、９６はスイッチハウジング２に配置されるプリント基板、９７はプリント基板９６に実装される光センサである。
【００３９】
この実施例によれば、円柱形状のキー９１がスイッチ本体１の挿入孔３に挿入されると、スチールボール９５は円柱形状のキー９１の凹部９３と係合してクリック感を得ることができるクリック機構を有している。バーコード９２は光センサ９７により読み取られる。円柱形状のキー９１の抜き取り時にも、同様にバーコード９２は光センサ９７により読み取られ、認証動作を行うことができる。
【００４０】
よって、キー及びスイッチ本体にクリック感を付与するクリック機構を備えるようにしたので、キーの操作量（回転挿入・抜き取りの移動量）を明確にすることができる。
図１８は本発明の第９実施例の変形例を示すキースイッチのキーの斜視図である。
この実施例では、円柱形状のキー１０１には側面の円周方向にバーコード１０２を形成するとともに、円柱形状のキー１０１の円周方向に凹部１０３が配列されるようにしている。
【００４１】
この実施例によれば、円柱形状のキー１０１を、スイッチ本体の挿入孔に挿入して、円柱形状のキー１０１を回転させると、円柱形状のキー１０１の凹部１０３に対応する位置に配置されるスチールボール（図示なし）が凹部１０３と係合してクリック感を得ることができるクリック機構を有している。バーコード１０２は円柱形状のキー１０１の回転により光センサ（図示なし）で読み取られ、認証動作を行うことができる。
【００４２】
図１９は本発明の第１０実施例を示すスイッチ本体の天面にキースイッチの操作確認用の表示装置を有するキースイッチ本体の斜視図である。
この図において、１１１はスイッチ本体１の天面、１１２はその天面１１１に配置されたキースイッチの操作確認用の表示装置（例えば、ＬＥＤ）である。
この実施例によれば、スイッチ本体１の天面１１１にキースイッチの操作確認用の表示装置１１２が設けられており、この表示装置１１２は、例えば、キー１１６が挿入されると点灯（例えば、赤色）させることができる。
【００４３】
更に、図３に示した光センサ９及びマイクロコンピュータ１１による解錠信号１５が得られると、表示装置１１２の点灯色が例えば、赤色から緑色へと変色することにより、認証されたかどうかを確認するように構成することができる。
図２０は本発明の第１１実施例を示すスイッチ本体の挿入孔に接点を設けた接触機構を有するキースイッチの動作説明図である。
【００４４】
この図において、１１３はスイッチ本体１の挿入孔３に配置された接点１１３Ａを有する接触機構、１１４はスイッチハウジング２内に配置されるプリント基板、１１５はプリント基板１１４に実装される光センサ、１１６は円柱形状のキー、１１７は円柱形状のキー１１６の軸方向に形成されたバーコードである。
この実施例によれば、スイッチハウジング２内に配置されるプリント基板１１４に接続される挿入孔３に設けられる接点１１３Ａを有する接触機構１１３が設けられており、スイッチ本体１の挿入孔３に円柱形状のキー１１６が挿入されると、接触機構１１３の接点１１３Ａがオンして、光センサ１１５が駆動される。よって、キー挿入時にのみ光センサに通電させることができるので、待機電力の削減を図ることができる。
【００４５】
上記したように、本発明のキースイッチによれば、同一又は異なる形状の要素を間隔をとって任意の数並べて構成した固有の情報パターンが記録されたキーと、前記情報パターンを検出するための光センサを備えたスイッチ本体とからなり、前記スイッチ本体に形成された挿入孔に前記キーを挿入し、前記光センサによって前記情報パターンの認証を行うようにすることができる。
【００４６】
また、そのキーは任意の形状とすることができる。例えば、そのキーは円柱形状や円筒形状を有し、円柱形状のキーに情報パターンとしてのバーコードを設ける。より具体的には円柱形状のキーの外周面又は先端面にバーコードを設ける。円筒形状のキーの場合は、その空洞部の内面円周部にバーコードを設ける。そして、バーコードは円柱形状のキーの側面又は円筒形状のキーの空洞部の内面の円周方向又は軸方向に形成することができる。
【００４７】
そして、本発明によれば、
（１）円柱形状のキーの側面の軸方向にバーコードを設け、スイッチ本体に形成された挿入孔に対してそのキーを挿入及び抜き取り操作することにより、バーコードを検出し、認証を行うことができる。
（２）円柱形状のキーの側面の円周方向にバーコードを設け、スイッチ本体に形成された挿入孔に対してそのキーを回転操作することにより、バーコードを検出し、認証を行うことができる。
【００４８】
（３）円柱形状のキーの先端面にバーコードを設け、スイッチ本体に形成された挿入孔に対してそのキーを回転操作することにより、バーコードを検出し、認証を行うことができる。
（４）円柱形状のキーの側面の円周方向及び軸方向にバーコードを設け、スイッチ本体に形成された挿入孔に対してそのキーを挿入、回転及び抜き取り操作することにより、バーコードを検出し、認証を行うことができる。
【００４９】
（５）円柱形状のキーの側面の円周方向の９０度毎に三角形状の反射部を設け、スイッチ本体に形成された挿入孔に対してそのキーを回転操作することにより、光の反射量を検出し、認証を行うことができる。
（６）円柱形状のキーのバーコードを保護する保護カバーを設けることができる。
（７）円筒形状のキーの空洞部の内面にバーコードを設けることができる。
【００５０】
（８）円筒形状のキーの空洞部の開口部に蓋を設けることができる。
（９）キー及びスイッチ本体にクリック感を与えるクリック機構を設けることができる。
（１０）スイッチ本体に操作確認用報知装置（例えば、ＬＥＤ）を設けることができる。
【００５１】
（１１）スイッチ本体に形成された挿入孔にスイッチを設け、キー操作時にスイッチを導通させることにより光センサに通電する（待機電力削減）ことができる。
なお、本発明は上記実施例に限定されるものではなく、本発明の趣旨に基づき種々の変形が可能であり、これらを本発明の範囲から排除するものではない。
【産業上の利用可能性】
【００５２】
本発明のキースイッチは、簡単に構成することができ、認証動作を容易に行うことができるキースイッチとして利用可能である。
【符号の説明】
【００５３】
１    スイッチ本体
２    スイッチハウジング
３    挿入孔
４    スイッチ取付用ナット
５    端子
６，２１，３１，４１，５１，６１，９１，１０１，１１６    円柱形状のキー
７，７Ａ，２２，３３，６２，７４，８３，９２，１０２，１１７    情報パターン（バーコード）
７Ａ    バーコードのバー部
７Ｂ    バーコードのスペース部
８，２３，３４，７５，９６，１１４    プリント基板
９，２４，３５，７６，９７，１１５    光センサ
９Ａ    光源
９Ｂ    受光素子
１０    増幅部
１１    マイクロコンピュータ
１２    デジタル変換部
１３    コード処理部
１４    インターフェース部
３２    円柱形状のキーの先端面
４２    第１のバーコード
４３    第２のバーコード
５２    三角形状の反射部
６３    保護カバー
６４，９４    コイルバネ
７１，８１    円筒形状のキー
７２，８２    空洞部
７３，８４  空洞部の開口部
８５    割りが入った蓋
９３，１０３    凹部
９５    スチールボール
１１１    スイッチ本体の天面
１１２    表示装置（ＬＥＤ）
１１３    接触機構
１１３Ａ    接点
【図１】
2011204562.tif 000003
【図２】
2011204562.tif 000004
【図３】
2011204562.tif 000005
【図４】
2011204562.tif 000006
【図５】
2011204562.tif 000007
【図６】
2011204562.tif 000008
【図７】
2011204562.tif 000009
【図８】
2011204562.tif 000010
【図９】
2011204562.tif 000011
【図１０】
2011204562.tif 000012
【図１１】
2011204562.tif 000013
【図１２】
2011204562.tif 000014
【図１３】
2011204562.tif 000015
【図１４】
2011204562.tif 000016
【図１５】
2011204562.tif 000017
【図１６】
2011204562.tif 000018
【図１７】
2011204562.tif 000019
【図１８】
2011204562.tif 000020
【図１９】
2011204562.tif 000021
【図２０】
2011204562.tif 000022